(57)【要約】【課題】  複数の画像投射装置を用いて行われるマルチスクリーン表示のための調整をより容易に行えるようにする。【解決手段】  画像投射装置１１００は、入力画像データに基づく画像を投射する画像投射手段を有し、複数の画像投射装置により行われるマルチスクリーン表示における調整のための調整用画像の表示指示を受け付け（Ｓ２００）、当該受け付けられた表示指示に応じた調整用画像を、マルチスクリーン表示を行う他の画像投射装置１２００に投射させる（Ｓ２０７）。【選択図】  図４
2018054763.tif 000002
【特許請求の範囲】
【請求項１】
入力画像データに基づく画像を投射する投射手段と、
複数の画像投射装置により行われるマルチスクリーン表示における調整のための調整用画像の表示指示を受け付ける受付手段と、
前記受付手段により受け付けられた表示指示に応じた調整用画像を、マルチスクリーン表示を行う他の画像投射装置に投射させる制御手段とを有することを特徴とする画像投射装置。
【請求項２】
前記制御手段は、前記他の表示指示を前記他の画像投射装置へ送信することで前記他の画像投射装置に前記調整用画像を投射させることを特徴する請求項１に記載の画像投射装置。
【請求項３】
前記制御手段は、前記他の画像投射装置により投射させる調整用画像の投射サイズ及び投射位置のうち少なくとも何れか一方の情報を前記他の画像投射装置へさらに送信することを特徴とする請求項２に記載の画像投射装置。
【請求項４】
前記調整用画像は、前記投射手段による投射画像の輝度及び色のうち少なくとも何れか一方を調整するために操作させる画面であることを特徴とする請求項１乃至３のうち、何れか１項に記載の画像投射装置。
【請求項５】
前記マルチスクリーン表示を行う他の画像投射装置から調整用画像の表示指示を受信する受信手段を有し、
前記投射手段は、前記他の画像投射装置から受信した表示指示に基づいて調整用画像を投射することを特徴とする請求項１乃至４のうち、何れか１項に記載の画像投射装置。
【請求項６】
前記受信手段は、前記他の画像投射装置から、前記調整用画像の投射サイズおよび投射位置のうち、少なくとも何れか一方の情報をさらに受信し、
前記投射手段は、前記他の画像投射装置からの情報に基づいて、前記調整用画像を投射することを特徴とする請求項５に記載の画像投射装置。
【請求項７】
前記受信手段により受信された情報により示される投射サイズ及び投射位置のうち少なくとも何れか一方を、前記投射手段による入力画像データに基づく画像の投射サイズの情報、及び、前記マルチスクリーン表示における投射画像の重複領域に関する情報との少なくとも何れか一方に基づいて変更する変更手段を有し、
前記投射手段は、前記他の画像投射装置からの表示指示に基づく調整用画像を、前記変更手段による変更後の投射位置及び投射サイズのうち少なくとも何れか一方に従って投射することを特徴とする請求項６に記載の画像投射装置。
【請求項８】
前記受付手段により受け付けられた表示指示に応じた調整用画像の前記投射手段による投射領域が、前記マルチスクリーン表示を行う他の画像投射装置の投射領域と重ならないように、前記調整用画像の投射領域を決定する領域決定手段を有することを特徴とする請求項１乃至７のうち、何れか１項に記載の画像投射装置。
【請求項９】
前記受付手段により受け付けられた表示指示に応じた調整用画像を投射させる他の画像投射装置を前記複数の画像投射装置から決定する投射装置決定手段を有することを特徴とする請求項１乃至８のうち、何れか１項に記載の画像投射装置。
【請求項１０】
前記投射装置決定手段は、前記複数の画像投射装置のうち、前記マルチスクリーン表示のための調整が完了している画像投射装置を、前記調整用画像を投射させる他の画像投射装置として決定することを特徴とする請求項９に記載の画像投射装置。
【請求項１１】
前記投射装置決定手段は、前記複数の画像投射装置のうち、前記画像投射装置の投射領域との重複領域が最も小さい画像投射装置を、前記調整用画像を投射させる他の画像投射装置として決定することを特徴とする請求項９に記載の画像投射装置。
【請求項１２】
入力画像データに基づく画像を投射する投射手段を有する画像投射装置が行なう制御方法であって、
複数の画像投射装置により行われるマルチスクリーン表示における調整のための調整用画像の表示指示を受け付ける受付工程と、
前記受け付けられた表示指示に応じた調整用画像を、マルチスクリーン表示を行う他の画像投射装置に投射させる制御工程とを有することを特徴とする制御方法。
【請求項１３】
前記制御工程は、前記調整用画像の表示指示を前記他の画像投射装置へ送信することで前記他の画像投射装置に前記調整用画像を投射させることを特徴する請求項１２に記載の制御方法。
【請求項１４】
前記制御工程は、前記他の画像投射装置により投射させる調整用画像の投射サイズ及び投射位置のうち少なくとも何れか一方の情報を前記他の画像投射装置へさらに送信することを特徴とする請求項１３に記載の制御方法。
【請求項１５】
コンピュータに、請求項１２乃至１４のうち何れか１項に記載の制御方法を実行させるためのプログラム。
【発明の詳細な説明】
【技術分野】
【０００１】
本発明は、マルチスクリーン表示を行う画像投射装置に関する。
【背景技術】
【０００２】
従来、複数の画像投射装置を用いてマルチスクリーン表示を行う場合、隣接する画像投射装置との間で重複する投射領域（重複領域）を設け、重複領域の画像信号に対して輝度補正を行うことで継ぎ目を目立たなくしている。また、重複領域に所定の幅を持たせることによって、画像投射装置毎に輝度や色味などの特性が若干異なっていても、視認されにくくなる。
【０００３】
特許文献１には、マルチスクリーン表示のための複数の画像投射装置の投射位置を調整するためのＯＳＤ画像（具体的には調整用十字ガイド）を複数の画像投射装置のそれぞれに投射させることが記載されている。
【先行技術文献】
【特許文献】
【０００４】
【特許文献１】特開２００９−２００６１３号公報
【発明の概要】
【発明が解決しようとする課題】
【０００５】
しかしながら、マルチスクリーン表示のための調整が困難となる恐れがあった。例えば上記従来技術では、マルチスクリーン表示のために画像投射装置を調整（例えば、投射画像の位置調整、輝度調整、色調整など）する場合において、当該画像投射装置が調整用画像を投射する。したがって、調整が完了していない画像投射装置が、調整用画像を投射することになるので、調整用画像の視認性が悪くなり、結果として調整が困難となる恐れがある。
【０００６】
また、例えば、マルチスクリーン表示のための調整用画像として、調整用メニュー画像を表示させるほか、格子状のパターン画像を投射させる場合において、メニュー画像やパターン画像の投射位置によっては、パターン画像の一部又は全部が隠れる可能性がある。このような場合にも、マルチスクリーン表示のための調整が困難となる恐れがあった。
【０００７】
本発明は上述した課題を解決するためになされたもので、その目的は、複数の画像投射装置を用いて行われるマルチスクリーン表示のための調整をより容易に行えるようにすることである。
【課題を解決するための手段】
【０００８】
上記目的を達成するため、本発明の画像投射装置は、例えば、以下の構成を有する。すなわち、入力画像データに基づく画像を投射する投射手段と、複数の画像投射装置により行われるマルチスクリーン表示における調整のための調整用画像の表示指示を受け付ける受付手段と、前記受付手段により受け付けられた表示指示に応じた調整用画像を、前記マルチスクリーン表示を行う前記複数の画像投射装置のうち他の画像投射装置に投射させる制御手段とを有する。
【発明の効果】
【０００９】
本発明によれば、複数の画像投射装置を用いて行われるマルチスクリーン表示のための調整をより容易に行うことができるようになる。
【図面の簡単な説明】
【００１０】
【図１】実施形態の画像表示システムの構成例を示す図。
【図２】実施形態の画像投射装置のハードウェア構成例を説明するための図。
【図３】実施形態の画像投射装置の動作を説明するためのフローチャート。
【図４】実施形態のメニュー画像の表示状態の遷移を説明するための図。
【図５】実施形態の画像表示システムの他の構成例を示す図。
【図６】実施形態のメニュー画像の表示状態の遷移を説明するための図。
【図７】実施形態のメニュー画像の表示状態を説明するための図。
【図８】実施形態のメニュー画像の表示状態を説明するための図。
【図９】実施形態の画像投射装置の別のハードウェア構成例を説明するための図。
【発明を実施するための形態】
【００１１】
以下、添付の図面を参照して、本発明をその実施形態に基づいて詳細に説明する。なお、以下の実施形態において示す構成は一例に過ぎず、本発明は図示された構成に限定されるものではない。
【００１２】
＜実施形態１＞
図１は、実施形態１における画像表示システムの構成を示す図である。本実施形態の画像表示システムは、画像投射装置１１００及び１２００を備えており、画像投射装置１１００〜１２００はネットワーク２０００を介して通信可能である。ネットワーク２０００は例えばＬＡＮ（Ｌｏｃａｌ  Ａｒｅａ  Ｎｅｔｗｏｒｋ）である。画像投射装置１１００及び１２００が画像をスクリーンに投射することで、マルチスクリーン表示３０００が実現される。重複領域３００１は、画像投射装置１１００及び１２００で重複する投射領域である。重複領域は、非重複領域とは別の輝度補正の対象となる。
【００１３】
図２は、画像投射装置１１００のハードウェア構成例を示すブロック図である。画像投射装置１１００及び１２００は同じ構成であるため、以下では画像投射装置１１００についてのみ説明を行う。
【００１４】
画像投射装置１１００は、通信部１１０１、メモリ１１０２、画像入力部１１０３、操作入力部１１０４、グラフィクス生成部１１０５（以下、生成部１１０５）、及び、グラフィクス重畳部１１０６（以下、重畳部１１０６）を有する。また、画像投射装置１１００は、グラフィクス表示制御部１１０７（以下、表示制御部１１０７）、投射領域設定部１１０８、重畳領域設定部１１０９、輝度補正部１１１０（以下、補正部１１１０）、及び、画像投射部１１１１を有する。
【００１５】
通信部１１０１は、有線ＬＡＮまたは無線ＬＡＮの機能を有し、通信ネットワーク２０００に接続して他の画像投射装置１２００と通信して各種データやコマンドの送受信を行う。
【００１６】
メモリ１１０２は、ＤＲＡＭで構成され、通信部１１０１を介して受信した各種データを格納するための受信バッファや、後述する画像入力部１１０３により入力された画像データを格納するフレームメモリとして使用される。
【００１７】
画像入力部１１０３は、外部から映像信号を入力するユニットである。本実施形態の画像入力部１１０３は、ＨＤＭＩ（登録商標）（Ｈｉｇｈ  Ｄｅｆｉｎｉｔｉｏｎ  Ｍｕｌｔｉｍｅｄｉａ  Ｉｎｔｅｒｆａｃｅ）等のインターフェースを介して入力される映像信号から画像データ（入力画像データ）を抽出する機能を有する。画像入力部１１０３は、抽出した画像データを入力画像としてフレーム毎にフレームメモリ（メモリ１１０２）に格納する。
【００１８】
操作入力部１１０４は、メニュー画像及び／又はカーソル画像を表示するための表示画面と、操作用ボタン等を有し、ユーザによる操作用ボタン等に対する操作を受付けるユーザインタフェースである。なお、操作入力部１１０４は、例えば、リモコンに対するユーザ操作を受け付けても良い。
【００１９】
生成部１１０５は、メニュー画像等の画素情報で構成されるグラフィクスを生成し、生成したグラフィクスデータをメモリ１１０２に格納する。本実施形態において、グラフィックスとは、マルチスクリーン表示のための調整用画像である。ただし、生成部１１０５は、マルチスクリーン表示のための調整用画像とは異なるグラフィックスを生成することもできる。重畳部１１０６は、メモリ１１０２からグラフィクスデータと映像信号に基づく画像データを読み出し、αブレンディング処理を施すことで画像データにグラフィクスデータを重畳する。
【００２０】
表示制御部１１０７は、操作入力部１１０４へのユーザ操作に応じて表示されるグラフィクスと、該グラフィクスを表示する位置情報とを管理する。また、表示制御部１１０７は、生成部１１０５と重畳部１１０６とを制御してグラフィクス（調整用画像）を表示させる。具体的には、画像投射装置１１００の表示制御部１１０７は、画像投射装置１１００の画像投射部１１１１にグラフィクス（調整用画像）を投射させるだけでなく、他の画像投射装置１２００の画像投射部１１１１にグラフィックスを投射させることもできる。画像投射装置１１００が他の画像投射装置１２００にグラフィックスを投射させる場合、画像投射装置１１００の通信部１１０１を介してグラフィクスの表示指示が他の画像投射装置１２００へ送信される。また、画像投射装置１１００の表示制御部１１０７は、通信部１１０１を介して他の画像投射装置１２００からグラフィクスの表示指示を受信することもできる。画像投射装置１１００の表示制御部１１０７は、他の画像投射装置１２００からグラフィクスの表示指示の受信に応じて、グラフィクスを画像投射部１１１１に投射させる。
【００２１】
投射領域設定部１１０８は、操作入力部１１０４へのユーザ操作で設定されたマルチスクリーン表示構成と、該マルチスクリーン表示構成における画像投射装置１１００の投射領域を識別するための識別情報を取得する。マルチスクリーン表示構成とは、マルチスクリーン表示を構成する画像投射装置の数とその配置形態を示している。
【００２２】
投射領域設定部１１０８は、例えば、複数のマルチスクリーン表示構成を“２×１”や“２×２”などの文字や、絵で表現した選択画面を表示させ、当該選択画面に対するユーザ操作によってマルチスクリーン構成に関する識別情報を取得できる。また、マルチスクリーン表示構成における画像投射装置１１００の投射領域に関する識別情報も、選択画面からユーザに選択させることによって取得できる。
【００２３】
重複領域設定部１１０９は、操作入力部１１０４に対するユーザ操作に基づいてマルチスクリーン表示における重複領域を設定する。そして、重複領域設定部１１０９は、設定された重複領域の識別情報と、当該重複領域に対して輝度補正が完了したか否かを示すフラグをメモリ１１０２に格納する。本実施形態では、重複領域の識別情報が、画像の重複方向と直行する方向の開始座標、終了座標、及び重複方向の幅で表現されるものとする。
【００２４】
補正部１１１０は、重複領域設定部１１０９で設定された重複領域に対する輝度補正を行い、輝度補正が行われた画像データをメモリ１１０２のフレームバッファに格納する。
【００２５】
画像投射部１１１１は、液晶パネルや光学系、投射ランプ等の表示デバイスを含み、メモリ１１０２のフレームバッファに格納された画像データを読み出して液晶パネルに表示することで画像の投射を行う。
【００２６】
なお、上記の説明では、図２で説明した各ブロックがそれぞれ個別のハードウェアである場合の例を示したが、この例に限らない。すなわち、図２で説明した各ブロックの機能の一部がＣＰＵにより実現されるようにしても良い。図９に、画像投射装置１１００の別のハードウェア構成の例を示す。図９に示すように、画像投射装置１１００は、ＣＰＵ９０１、ＲＯＭ９０２、ＲＡＭ９０３、画像表示素子９０４、入出力部９０５、通信ＩＦ９０６を有する。ＲＯＭ９０２及びＲＡＭ９０３は、図２におけるメモリ１１０２と同様の機能を有する。画像表示素子９０４は、図２における画像投射部１１１１と同様の機能を有する。入出力部９０５は、図２における画像入力部１１０３及び操作入力部１１０４と同様の機能を有する。また、通信ＩＦは、図２における通信部１１０１と同様の機能を有する。そして、ＣＰＵ９０１が、ＲＯＭ９０２に記録された所定の制御プログラムを実行することで、図２の生成部１１０５、重畳部１１０６、表示制御部１１０７、投射領域設定部１１０８、重複領域設定部１１０９、及び補正部１１１０と同様の機能を実現する。
【００２７】
また、ＣＰＵ９０１は複数存在しても良い。また例えば、ＣＰＵ９０１が、表示制御部１１０７、投射領域設定部１１０８、及び、重複領域設定部１１０９の機能を実現し、専用のハードウェアにて生成部１１０５、重畳部１１０６、及び、補正部１１１０の機能が実現されるなど、各種構成を採用しうる。何れにしても、図２を用いて説明した各ブロックの機能、プロセッサ（例えばＣＰＵ９０１）が所定の制御プログラムを実行することにより実現される。
【００２８】
図３は、画像投射装置１１００の動作を説明するフローチャートである。図３のフローチャートで説明する処理は、画像投射装置１１００が有するプロセッサ（ＣＰＵ９０１）が所定の制御プログラムを読み出して画像投射装置１１００の各部を制御することにより、実現される。また、図３の処理は、例えば、マルチスクリーン表示のモードがユーザにより選択されたタイミングで開始される。ただし、このタイミングに限らず、例えば、画像投射装置１１００が起動している間は、常に図３の処理が行われるようにしても良い。
【００２９】
画像投射装置１１００の表示制御部１１０７は、グラフィクスの表示指示を待ち受ける（Ｓ２００）。本実施形態におけるグラフィクスとは、マルチスクリーン表示の設定用画像である。また、本実施形態では、ユーザによるグラフィクスの表示指示は、操作入力部１１０４を介して受け付けられる。すなわち、表示制御部１１０７は、複数の画像投射装置１１００及び１２００により行われるマルチスクリーン表示における調整のための調整用画像の表示指示を受け付ける。調整用画像の表示指示を受け付けた場合、Ｓ２０４に進み、調整用画像の表示指示を受け付けていないと判定された場合、Ｓ２０１に進む。
【００３０】
Ｓ２０４において、表示制御部１１０７は、マルチスクリーン表示構成の識別情報と、マルチスクリーン表示構成における画像投射装置１１００の投射領域を識別するための識別情報とを投射領域設定部１１０８から取得する。マルチスクリーン表示構成の識別情報、及び、画像投射装置１１００の投射領域の識別情報は、ユーザ操作に基づいて投射領域設定部１１０８により取得される情報である。もし、Ｓ２０４において投射領域設定部１１０８が上記識別情報の取得を完了していない場合、操作入力部１１０４を介したユーザ操作を促すメッセージを表示させるようにすると良い。
【００３１】
そして、表示制御部１１０７は、Ｓ２０４において取得された識別情報に基づいて、マルチスクリーン表示が有効であるか否かを判定する（Ｓ２０５）。表示制御部１１０７は、例えば、Ｓ２０４にて識別情報が取得されなかった場合は、マルチスクリーン表示が有効でないと判定する。また、表示制御部１１０７は、例えば、識別情報は取得されたが、他の画像投射装置１２００と通信不可であった場合は、マルチスクリーン表示が有効でないと判定する。マルチスクリーン表示が有効であると判定された場合、Ｓ２０６に進み、マルチスクリーン表示が有効でないと判定された場合、Ｓ２０２に進む。
【００３２】
Ｓ２０６において、表示制御部１１０７は、ネットワーク２０００に接続する他の画像投射装置１２００をグラフィクスの表示先として決定する。そして、表示制御部１１０７は、通信部１１０１を介して、画像投射装置１２００に対してグラフィクスの表示指示を送信する（Ｓ２０７）。画像投射装置１２００は、画像投射装置１１００からのグラフィクスの表示指示に基づいて、グラフィクスを表示させる。すなわち、画像投射装置１１００の表示制御部１１０７は、Ｓ２００において受け付けられた表示指示に応じたグラフィクス（マルチスクリーン表示のための調整用画像）を、マルチスクリーン表示を行う他の画像投射装置１２００に投射させる制御を実行する。
【００３３】
なお、本実施形態の画像投射装置１１００の表示制御部１１０７は、画像投射装置１２００にグラフィクスの投射位置をＳ２０７において指示する。より具体的には、表示制御部１１０７は、画像投射装置１２００の投射領域のうち、重複領域３００１に重ならない領域に、グラフィクスが投射されるように投射位置を指定する。このような構成によれば、重複領域３００１がグラフィクスによって隠れなくなるので、よりユーザにとってマルチスクリーン表示のための調整がしやすくなるという効果がある。
【００３４】
また、重複領域３００１に重ならないようにするために、画像投射装置１１００の表示制御部１１０７は、画像投射装置１２００におけるグラフィクスの投射サイズを指示することもできる。例えば、画像投射装置１２００におけるグラフィクスの投射位置は中心に固定されていたとしても、グラフィクスの投射サイズを小さくすることで、重複領域がグラフィクスに隠れなくなる可能性が高まる。このようにしても、ユーザにとってマルチスクリーン表示のための調整がしやすくなるというメリットがある。すなわち、表示制御部１１０７は、他の画像投射装置１２００に投射させるグラフィクス（調整用画像）の投射位置及び投射サイズのうち、少なくとも何れか一方を指定することができる。
【００３５】
なお、グラフィクスの投射サイズの指定方法には、少なくとも以下の２つの方法が考えられる。すなわち、グラフィクスの表示指示と共に、当該グラフィクスのサイズ情報を他の画像投射装置１２００に通知する方法と、画像投射装置１１００においてサイズ変更済みのグラフィクスを生成して他の画像投射装置１２００に対して送信する方法である。いずれの方法を採用しても、重複領域がグラフィクスによって隠れにくくなるという効果は得られるが、前者の方法を用いれば画像投射装置１１００の処理負荷を特に少なくすることができる。また、後者の方法を用いれば画像投射装置１２００の処理負荷、及び、ネットワーク２０００通信データ量を特に少なくすることができる。
【００３６】
Ｓ２０５においてマルチスクリーン表示が有効でないと判定された場合、表示制御部１１０７は、画像投射装置１１００でグラフィクスを投射することを決定する。そして、表示制御部１１０７は、生成部１１０５に対してグラフィクス描画指示（Ｓ２０２）を出力し、重畳部１１０６に対してグラフィクス重畳指示（Ｓ２０３）を行う。これにより、画像投射装置１１００のマルチスクリーン表示の調整用画像が画像投射装置１１００の画像投射部１１１１により投射される。
【００３７】
また、表示制御部１１０７は、他の画像投射装置１２００からグラフィクスの表示指示を受けた場合（Ｓ２０１でＹＥＳ）、グラフィクスを画像投射装置１１００の画像投射部１１１１に投射させる。すなわち、表示制御部１１０７は、他の画像投射装置１２００からの表示指示の受け付けに応じて、生成部１１０５に対してグラフィクス描画指示を出力し（Ｓ２０２）、重畳部１１０６に対してグラフィクス重畳指示を出力する（Ｓ２０３）。このようにして、画像投射装置１１００の画像投射部１１１１は、他の画像投射装置１２００からのグラフィクス表示指示に応じたグラフィクスを表示させる。
【００３８】
なお、表示制御部１１０７は、他の画像投射装置１２００からグラフィクスの投射位置及び／又は投射サイズの指示を受け付けた場合、当該指示に応じた投射位置及び／又は投射サイズでグラフィクスを投射できる。
【００３９】
また、３台以上の画像投射装置を用いたマルチスクリーン表示を行う場合、画像投射装置１１００の表示制御部１１０７は、複数の画像投射装置からグラフィクスの表示指示を受信することがありうる。このように、複数の他の画像投射装置からグラフィクスの表示指示を受信した場合、その一部を拒否するようにしても良い。このようにすれば、複数のグラフィクスを投射することによりグラフィクスの視認性低下を防ぐことができる。また、画像投射装置１１００が複数のグラフィクスを投射する場合には、複数のグラフィクスの投射領域が重ならないように、各グラフィクスの投射サイズを小さくしたり、投射位置を変更したりしても良い。このように、縮小後のグラフィクスや位置変更後のグラフィクスを投射するようにすれば、複数のグラフィクスが重なることによるグラフィクスの視認性低下を防ぐことができる。
【００４０】
また、他の画像投射装置からグラフィクスの投射位置や投射サイズを指定されている場合において、画像投射装置１１００が当該指定された投射位置や投射サイズを変更するときは、変更可否を他の画像投射装置へ通知すると良い。このようにすることで、例えば、画像投射装置１１００にグラフィクスの表示指示をした他の画像投射装置１２００が、画像投射装置１１００とは別の画像投射装置に対するグラフィクスの表示指示に切り替えることができる。また例えば、画像投射装置１２００自身でグラフィクスを表示させる判断に切り替えることもできる。
【００４１】
図４は、実施形態１における画像表示システムでマルチスクリーン表示を実現する場合のグラフィクスの表示状態の遷移を説明するための図である。図４（ａ）において、投射画像３１００及び３２００は、それぞれ画像投射装置１１００及び１２００による投射画像を表している。
【００４２】
図４（ｂ）は、投射画像３１００及び３２００の重複領域を設けてマルチスクリーン表示３０００を行う場合の初期状態である。図４（ｂ）は、これから重複領域３００１に対して輝度補正が必要な状態である。なお、輝度補正に加えて、または、輝度補正に代えて、色補正が必要となる場合もある。メニュー３０１０は、ユーザ操作を行うためのグラフィクス（調整用メニュー）の表示例である。ユーザは、メニュー３０１０を見ながら操作入力部１１０４を操作することにより、マルチスクリーン表示構成の設定を行うことができる。
【００４３】
本実施形態では、マルチスクリーン表示構成として“２×１”、画像投射装置１１００の投射領域として“左”が設定されるものとする。なお、図４（ｂ）は、重複領域３００１の輝度補正が完了していない状態であるため、投射画像３１００に表示されている調整用メニューや調整用パターンの視認性が低下していることを示している。調整用パターンとは、図４（ｂ）で示される格子状のパターン画像のことである。ただし、調整用パターンは、格子状でなくても良く、マルチスクリーン表示の調整に使える形状であれば、他のパターンを用いるようにしても良い。
【００４４】
図４（ｃ）は、マルチスクリーン表示の有効化がなされた状態において、ユーザがメニュー操作を行った際のメニュー３０１０の表示状態を示している。画像投射装置１１００に対するグラフィクスの表示指示の受け付けに応じて、表示制御部１１０７が画像投射装置１２００にグラフィクスの表示指示を行うことで、画像投射装置１１００のメニュー３０１０が画像投射装置１２００により投射される。これにより、画像投射装置１１００の調整用メニューの視認性が向上すると共に、画像投射装置１１００により投射される調整用パターンの視認性が向上する。
【００４５】
なお、画像投射装置１２００は、画像投射装置１１００のメニュー３０１０を表示する際に、メニュー３０１０が重複領域３００１に重ならないように表示位置を変更したり、縮小などの変形を加え、表示領域を変更しても良い。例えば、画像投射装置１２００は、重複領域３００１を避けた上で、画像投射装置１１００の投射画像３１００に近接する位置にメニュー３０１０を投射するように、メニュー３０１０の表示領域を決定する領域決定機能を有する。このようにすることで、マルチスクリーン表示の調整時の視線の移動範囲を短くすることができるので、よりマルチスクリーン表示のための調整をしやすくなる。あるいは、画像投射装置１２００は、調整用メニューの縮小と表示位置の変更を行うことで、重複領域３００１を避けた上で、画像投射装置１１００のメニュー３０１０と、画像投射装置１２００の不図示の調整用メニューとを並べて投射するようにしても良い。このようにしても、マルチスクリーン表示の調整時の視線の移動範囲を短くすることができるので、ユーザはより調整をしやすくなるという効果がある。
【００４６】
以上のように、本実施形態の画像表示システムでは、複数の画像投射装置を用いてマルチスクリーン表示を構成する際の調整用メニュー（グラフィクス）と調整用パターンの視認性を向上することができる。これにより、マルチスクリーン表示の調整に係るユーザの負荷を低減させることができる。
【００４７】
＜実施形態２＞
次に、実施形態２について、実施形態１との差異を中心に説明する。図５は、実施形態２における画像表示システムの構成例を示す図である。本実施形態の画像表示システムは、画像投射装置１１００〜１４００を備えている。画像投射装置１１００〜１４００は、ネットワーク２０００を介して互いに通信可能である。本実施形態では、画像投射装置１１００〜１４００が画像を投射することで、“２×２”のマルチスクリーン表示３０００を行う例を説明する。重複領域３００１は、画像投射装置１１００及び１２００で重複する投射領域である。重複領域は、非重複領域とは別の輝度補正の対象となる。なお、画像投射装置１１００〜１４００の構成、及び画像投射装置１１００〜１４００の処理フローは、実施形態１と同様である。
【００４８】
図６は、実施形態２における画像表示システムにおいてマルチスクリーン表示を行う場合のグラフィクスの表示状態の遷移を説明するための図である。図６（ａ）において、投射画像３１００〜３４００はそれぞれ画像投射装置１１００〜１４００による投射画像を表している。図６（ｂ）は、投射画像３１００〜３４００で重複部分を設けて“２×２”のマルチスクリーン表示３０００を行う場合の初期状態である。図６（ｂ）は、これから重複領域３００１に対して輝度補正が必要な状態である。メニュー３０１０は、画像投射装置１１００〜１４００においてマルチスクリーン表示の有効化がなされた状態において、ユーザがメニュー操作を行った際の調整用メニュー（グラフィクス）の表示状態を示している。
【００４９】
本実施形態の画像投射装置１１００は、複数の他の画像投射装置１２００〜１４００のうち、画像投射装置１１００の投射画像３１００と重複する面積が小さい投射領域３４００に対応する画像投射装置１４００に、グラフィクスを投射させることを決定する。すなわち、本実施形態の画像投射装置１１００の表示制御部１１０７は、図３のＳ２００にて受け付けられたグラフィクスの表示指示に応じたグラフィクスを投射させる他の画像投射装置を、複数の他の画像投射装置から決定する投射装置決定機能を有する。
【００５０】
そして、画像投射装置１１００の表示制御部１１０７は、グラフィクスを投射させる画像投射装置として決定した画像投射装置１４００に対してグラフィクスの表示指示を送信する。また、画像投射装置１４００は、複数の画像投射装置のうち、どの画像投射装置の調整用メニューを表示しているかを識別するための情報として、表示元識別情報３００２を表示する。
【００５１】
同様に、図６（ｃ）は、画像投射装置１２００の調整用メニューであるメニュー３０２０が画像投射装置１３００によって投射されている状態を示している。図６（ｄ）は、画像投射装置１３００の調整用メニューであるメニュー３０３０が画像投射装置１２００によって投射されている状態を示している。図６（ｅ）は、画像投射装置１４００の調整用メニューであるメニュー３０４０が画像投射装置１１００によって投射されている状態を示している。
【００５２】
なお、調整用メニューの表示方法としてはこれに限られるものではない。例えば、図７に示すように、調整用メニューの視認性を損なわない限りにおいては、複数の画像投射装置の調整用メニューが１つの画像投射装置によって投射されるようにすることができる。このような構成によれば、複数の調整用メニューの内容を確認する際のユーザの視線移動の距離を短くすることができるので、ユーザの操作性をより向上させることができる。
【００５３】
また、図８に示すように、輝度補正が完了した画像投射装置が、調整用メニューを投射する画像投射装置として優先的に決定されるようにしても良い。すなわち、画像投射装置１１００の表示制御部１１０７は、複数の画像投射装置１２００〜１４００のうち、マルチスクリーン表示のための調整が完了している画像投射装置を、調整用画像を投射させる他の画像投射装置として決定する。このような構成によれば、より視認性の良い領域に調整用メニューを投射させることができる。
【００５４】
なお、輝度補正が完了した重複領域を含めたより大きな表示領域を用いて調整用メニューを投射させる方法として、以下の２つの方法が考えられる。
【００５５】
１つ目の方法は、調整用メニューの表示指示を行う画像投射装置が、当該調整用メニューの投射対象となる領域に画像を投射する全ての画像投射装置に対して調整用メニューのグラフィクスデータを送信する方法である。例えば、図８においては、メニュー３０３０及び３０４０のうち、重複領域３００１に重なる部分のグラフィクスは画像投射装置１１００及び１２００の両方で投射する必要がある。そこで、グラフィクスの表示指示を行う画像投射装置は、画像投射装置１１００及び１２００の双方に対してグラフィクスデータを送信する。
【００５６】
２つ目の方法は、調整用メニューの表示指示を行う画像投射装置が、他の画像投射装置に対して、重複領域の画像や輝度補正に対する変更を指示する方法である。例えば、図８においては、メニュー３０３０及び３０４０の全てを投射可能な画像投射装置１１００に対しては、調整用メニューのグラフィクスデータが送信される。一方、メニュー３０３０及び３０４０の投射領域の一部が投射領域に含まれる画像投射装置１２００に対しては、グラフィクスデータは送信されず、重複領域３００１に黒画像を表示する指示が送信される。あるいは、画像投射装置１１００にはグラフィクスデータの送信と共に重複領域３００１の輝度補正の抑制を指示し、画像投射装置１２００には重複領域３００１の画像が視認されないよう輝度補正の変更のみが指示されるようにしてもよい。これらの方法により、輝度補正がなされた重複領域３００１に対しても視認性を損なわない調整用メニューを投射させることができる。
【００５７】
＜その他の実施形態＞
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【００５８】
以上のように、本実施形態の画像表示システムでは、複数の画像投射装置を用いてマルチスクリーン表示を構成する際の調整用メニュー（グラフィクス）と調整用パターンの視認性を向上することができる。これにより、マルチスクリーン表示の調整に係るユーザの負荷を低減させることができる。
【符号の説明】
【００５９】
１１０１  通信部
１１０２  メモリ
１１０３  画像入力部
１１０４  操作入力部
１１０５  生成部
１１０６  重畳部
１１０７  表示制御部
１１０８  投射領域設定部
１１０９  重複領域設定部
１１１０  補正部
１１１１  画像投射部
【図１】
2018054763.tif 000003
【図２】
2018054763.tif 000004
【図３】
2018054763.tif 000005
【図４】
2018054763.tif 000006
【図５】
2018054763.tif 000007
【図６】
2018054763.tif 000008
【図７】
2018054763.tif 000009
【図８】
2018054763.tif 000010
【図９】
2018054763.tif 000011